(57)【要約】【課題】簡易な構成によりラップフィルム先端片のラップケース本体内への巻き戻りを防止し得るようにしたケース入りラップロールを提供すること。【解決手段】ラップフィルム８を巻回してなるラップフィルムロール体７と、前記ラップフィルムロール体７を収容するケース本体２と前記ケース本体２の上部開口を開閉自在に覆蓋するケース蓋体３とを有するケース入りラップロールにおいて、前記ケース本体２はケース本体前板１１の中段部に前記ラップフィルム８の先端片４１を引出す横スリット１２を設ける一方、前記ケース蓋体３は前記ケース本体２の覆蓋状態において前記横スリット１２より下方にのびる長さをもつ蓋体前板２１をそなえるとともにその蓋体前板２１の下縁２１ａに沿って前記ラップフィルム８を切断するラップカッター２２を設ける。【選択図】        図１
2008296993.tif 000002
【特許請求の範囲】
【請求項１】
ラップフィルム（８）を巻回してなるラップフィルムロール体（７）と、前記ラップフィルムロール体（７）を収容するケース本体（２）と前記ケース本体（２）の上部開口を開閉自在に覆蓋するケース蓋体（３）とを有するケース入りラップロールであって、前記ケース本体（２）はそのケース本体前板（１１）の中段部に前記ラップフィルム（８）の先端片（４１）を引出す横スリット（１２）を設ける一方、前記ケース蓋体（３）は前記ケース本体（２）の覆蓋状態において前記横スリット（１２）より下方にのびる長さをもつ蓋体前板（２１）をそなえるとともにその蓋体前板（２１）の下縁（２１ａ）に沿って前記ラップフィルム（８）を切断するラップカッター（２２）を設けたことを特徴とするケース入りラップロール。
【請求項２】
前記ケース本体前板（１１）が厚紙等の可撓性素材で作られており且つ該ケース本体前板（１１）が適宜の補強手段（１３）によって補強されていることを特徴とする請求項１記載のケース入りラップロール。
【請求項３】
前記ケース本体前板（１１）の前面で前記横スリット（１２）の横方向中央部近傍に触覚により認識できる触覚マーク（１４）が設けられていることを特徴とする請求項１又は２記載のケース入りラップロール。
【発明の詳細な説明】
【技術分野】
【０００１】
本願発明は、食品などを包装するラップフィルムをロール状に巻回したラップフィルムロール体をラップケース内に収容してなるケース入りラップロールに関するものである。
【背景技術】
【０００２】
従来から、図６に例示するように、長尺のラップフィルムを巻回してなるラップフィルムロール体７を直方体のケース１内に収容したケース入りラップロールが広く使用されている。この従来のケース入りラップロールでは、ラップケース本体２の内部に収容しているロール状のラップフィルムをラップケース本体２の上部開口５から必要長さだけ引き出し、同ラップフィルムをラップケース本体２を覆蓋するケース蓋体３の前板２１の下縁に設けられているラップカッター２２によって切断して使用するようになっている。
【０００３】
ところで、この従来のケース入りラップロールでは、切断されたあとのラップフィルム８の先端片４１がそのままラップケース本体２の外側に残らずに、ラップケース本体２内に巻き戻されてしまい、次に使用するときにそのラップフィルムの先端片４１を容易に取り出すことができないという問題があった。
【０００４】
従来公知のケース入りラップロールの中には、このような問題を改善するためにラップケースのケース本体前板１１の前面に感圧粘着剤層からなるラップフィルム保持部を設けたものがある（下記特許文献１）が、この従来例のように特別のフィルム保持部を設けることはそれだけコストアップにつながり得策ではない。
【０００５】
【特許文献１】特開２００７−１１２４７５号公報
【発明の開示】
【発明が解決しようとする課題】
【０００６】
本願発明は、ケース入りラップロールにおける上記のような問題を改善するためになされたもので、簡易な構成によりラップフィルム先端片４１のラップケース本体２内への巻き戻りを防止し得るようにしたケース入りラップロールを提供することを課題とするものである。
【課題を解決するための手段】
【０００７】
本願発明は、上記課題を達成するための手段として、図１ないし図５に例示するように、ラップフィルム８を巻回してなるラップフィルムロール体７と、前記ラップフィルムロール体７を収容するケース本体２と前記ケース本体２の上部開口を開閉自在に覆蓋するケース蓋体３とを有するケース入りラップロールにおいて、前記ケース本体２はケース本体前板１１の中段部に前記ラップフィルム８の先端片４１を引出す横スリット１２を設ける一方、前記ケース蓋体３は前記ケース本体２の覆蓋状態において前記横スリット１２より下方にのびる長さをもつ蓋体前板２１をそなえるとともにその蓋体前板２１の下縁２１ａに沿って前記ラップフィルム８を切断するラップカッター２２を設けたことを基本的特徴とするものである。
【０００８】
そして、本願発明のケース入りラップロールにおいては、これに加えて前記ケース本体前板１１が厚紙等の可撓性素材で作られており且つ該ケース本体前板１１が適宜の補強手段１３によって補強されていることが推奨される。
【０００９】
さらに本願発明のケース入りラップロールにおいては、前記ケース本体前板１１の前面で前記横スリット１２の横方向中央部近傍に触覚により認識できる触覚マーク１４が設けられている構成とすることもできる。
【発明の効果】
【００１０】
本願発明のケース入りラップロールでは、ラップケース内に収納されているラップフィルムロール体の先端片４１は、ケース本体前板１１の中段部に設けた横スリット１２を通してラップケース外へ引き出され、ケース蓋体３の前板２１に設けたラップカッター２２によって切断されたあともそのままラップケース１外に残るから従来のケース入りラップロールのようにラップフィルム先端片がラップケース内に巻き戻されて次回の取り出しに困るということがない。したがって、毎回スムーズにラップフィルムの取り出しが行えるという効果がある。
【発明を実施するための最良の形態】
【００１１】
続いて図１ないし図５を参照して本願発明の好適な実施例を説明すると、図１には本願発明の実施例にかかるケース入りラップロールが、そのケース蓋体３を開いた状態で示されている。このケース入りラップロールは、厚紙で作られるほぼ直方体状のケース本体２と該ケース本体２の開口部後縁にヒンジ結合されたケース蓋体３とでもってラップケース１を形成し、そのケース本体２の内部にラップフィルムをロール状に巻回してなるラップフィルムロール体７を収納して構成されている。
【００１２】
ケース本体２のケース本体前板１１の中段部にはラップフィルムロール体７の全幅にまたがる長さをもって横スリット１２が形成されており、該横スリット１２からはラップフィルムロール体７の最外周に巻回されているラップフィルム８の先端片４１がケース本体２外に引き出されて露出している。
【００１３】
ケース蓋体３はケース本体前板１１の前面を覆う蓋体前板２１を有しており、該蓋体前板２１はケース蓋体３の閉蓋時にケース本体前板１１側の横スリット１２より寸法Ｂだけ下方にのびる縦長さＡを有している（図２参照）。蓋体前板２１の下縁部には鋸歯状のラップカッター２２が横スリット１２の長さに対応する長さで設けられている。
【００１４】
図示実施例のケース入りラップロールは次のようにして使用される。
【００１５】
すなわち、このケース入りラップロールは、出荷時には図１に示すようにラップフィルム８の先端片４１をケース本体前板１１に形成してある横スリット１２から引き出した状態とされ、この先端片４１の引き出し状態でケース蓋体３をケース本体２上に覆蓋して出荷される（図２参照）。そしてこのケース入りラップロールからラップフィルム８を取り出して使用するに際しては、ケース蓋体３を開けて図３、図４に示すようにラップフィルム８を必要長さだけ横スリット１２を通して引き出したあと、図５に示すようにケース蓋体３を閉じ、さらにラップフィルム８の先端片４１側をラップカッター２２に当てて切断する。
【００１６】
このようにすると、ラップフィルムロール体７側のラップフィルム先端片４１は図５に示すようにケース本体前板１１と蓋体前板２１の間に挟まれた状態となって残るから、同ラップフィルム先端片４１が不用意にケース本体２内に巻き戻されることがない。そして、次回にラップフィルムを使用すべくケース蓋体３を開いたときには、常に図１に示すようにラップフィルム先端片４１が一定寸法だけケース本体２の外側に露出しており、容易に同先端片４１をつかんでラップフィルム８を引き出すことができる。
【００１７】
なお、図示実施例のケース入りラップロールでは、ケース本体２側のケース本体前板１１の強度を補強するための補強材（厚紙製）１３がケース本体前板１１の裏面に同ケース本体前板１１の横方向全長に亘って貼着されている。また、ケース本体前板１１の前面には横スリット１２の長さ方向中央部付近において視覚障害者用の触覚マーク（触覚によりラップフィルム先端片４１の中央部付近を認識可能にする、たとえばエンボス加工）が形成されている。
【図面の簡単な説明】
【００１８】
【図１】本願発明の実施例にかかるケース入りラップロールの開蓋状態における斜視図である。
【図２】図１に示すケース入りラップロールの閉蓋状態における縦断面図である。
【図３】図２に示すケース入りラップロールの開蓋状態図である。
【図４】図３に示すケース入りラップロールの斜視図である。
【図５】図３に示すケース入りラップロールにおける閉蓋状態図である。
【図６】従来公知のケース入りラップロールの斜視図である。
【符号の説明】
【００１９】
１はラップケース、２はケース本体、３はケース蓋体、４はケース内室、７はラップフィルムロール体、８はラップフィルム、１１はケース本体前板、１２は横スリット、１３は補強材
１４は触覚マーク、２１は蓋体前板、２２はラップカッター、４１はラップフィルム先端片である。
【図１】
2008296993.tif 000003
【図２】
2008296993.tif 000004
【図３】
2008296993.tif 000005
【図４】
2008296993.tif 000006
【図５】
2008296993.tif 000007
【図６】
2008296993.tif 000008